(57)【特許請求の範囲】
【請求項１】
梯子、壁等の縦立構造体の縦立を、該縦立構造体の縦立が支持されている力の方向とは異なる方向から支持するための縦立構造体支持装置であって、該縦立構造体支持装置は縦立構造体固定部およびガイドレール部を備えた鞘体部と、一端部において開度調節部と螺着された自在開閉脚部と、脚部支持部とを有し、（Ａ）該縦立構造体固定部は、本装置全体を縦立構造体に固定するために該鞘体部の一部として少なくとも一個設けられ、（Ｂ）該鞘体部上に設けられた該ガイドレール部には、該開度調節部が摺動自在に取り付けられ、（Ｃ）該開度調節部は該ガイドレール部上の任意の位置において該ガイドレール部に固定されることによって前記自在開閉脚部の開度を固定するための調節固定部を有し、（Ｄ）該自在開閉脚部には、これと前記鞘体部とを連結するための前記脚部支持部が取り付けられ、（Ｅ）該脚部支持部は、該自在開閉脚部および該鞘体部のいずれとも回動自在に枢設されており、さらに、該自在開閉脚部が、相互に摺動自在かつ固定自在であり、それにより該自在開閉脚部の長さを調節することのできる二個以上の肢状部からなる縦立構造体支持装置を二基用い、該縦立構造支持装置の一方の前記調節固定部を摺動可能に弛めた状態で前記自在開閉脚部の開度を調節して適切な開度を決定した後で、これを固定するために該調節固定部を前記ガイドレール部に固定する過程Ａと、建物等の構造物に立て掛けられた梯子の二の支柱部の一方に該縦立構造支持装置の一方を縦立構造体固定部によって固定する過程Ｂとを備え、該過程ＡおよびＢはいずれかが先に、他方がその後に実施され、梯子の他方の支柱部にも同様に他方の該縦立構造支持装置を固定することによって、該梯子の縦立を安定化させその転倒を防止することのできる、梯子縦立支持方法。
【発明の詳細な説明】
【０００１】
【発明の属する技術分野】
本発明は縦立構造体支持装置に係り、特に、梯子、塀や建物壁、その他の縦立する構造体の縦立を側面等から簡易に支持することのできる縦立構造体支持装置、およびそれによる梯子縦立支持方法に関する。
【０００２】
【従来の技術】
梯子使用作業における転倒防止および利用者の安全確保、一時的に構築された簡易な建物等に対する応急的な簡易な縦立支持、自然災害等による倒壊危険性の発生した塀、老木等の応急的な簡易な縦立支持など、産業活動および人間生活の幅広い局面で、縦立ないし略縦立する構造体を側面等から支持する手段が用いられ、また要請されている。
【０００３】
このうち梯子使用作業について見ると、梯子は、平行関係に離間して設けられる二本の支柱部の間に、適宜間隔で適宜数の踏み板が横架、横設された構成を有し、これを建物壁等に立て掛け、略縦立させることにより、手の届かないような上方位置での作業を可能ならしめる機能を有する。
【０００４】
しかし、その縦立を支えるのは二本の支柱部からの重力に対する地面や床等からの反作用の抗力と、立て掛けを受けた建物壁からの反作用の抗力であり、梯子利用者の重心変化や風、その他の要因により梯子の縦立の安定性は往々にして大きく影響を受け、梯子の転倒を生ずる危険性がある。
【０００５】
係る問題の解決策として、梯子の縦立を支持して転倒危険性を低減するための安全梯子や梯子用安全具が提案されている。そのうち、特開平１０−１６９３４５号公報に開示された安全具装備梯子は、梯子の二本の支柱部にガイドレールを設け、これに摺動自在の張出部材を取り付けて、支柱部の縦立を左右の側面二方向から支持角度可変にかつ鉛直方向の作用点可変に支持し、併せて作業者安全帯の連結可能なフックをも梯子に備える、というものである。
【０００６】
この発明は、簡単な構造により支持角度および鉛直方向作用点可変な構造により傾斜地や凸凹場の土地でも安定して梯子を縦立させることができ、収納性・可搬性もあり、フックによってもさらに作業者安全を図ることができることが、その効果として述べられている。
【０００７】
【発明が解決しようとする課題】
しかし、特開平１０−１６９３４５号公報に開示された発明は安全具装備梯子であるため、梯子として上記構造を備えるものであり、特殊なチャンネル状ガイドレールの形成、張出部材の取り付けなど、梯子としては複雑な構成を備えることが必要である。その結果、製造工程数の増加とそれに伴うコスト増加は避けられず、梯子自体の重量も増大するため可搬性にも限界がある。また、相当の危険性を有する作業を前提として構成されているため、危険性がさほど問題とならないような用途の場合、必要性が乏しいにも拘わらず相当重量の該梯子を用いなくてはならないとすれば、係る可搬性上の問題点とも相まって、汎用性に乏しいものである。
【０００８】
その上、該梯子は独立して使用されるものであるため、既にある梯子を利用し協調して用いることはできず、物の価値を物相互の連携・協調の中で最大限引き出し活用しつつ産業の発達を図るべき今後の経済活動のあり方に鑑みれば、より望ましい別の形も求められるものである。
【０００９】
さらに、該梯子における縦立支持は、その構造上梯子の左右両側面からの支持に限定され、梯子上にいる梯子利用者の背面方向に力が加わった場合の縦立支持は不可能である。
【００１０】
しかも該安全具装備梯子の目的と効果は、その構成上当然に梯子使用作業における転倒防止および作業者の安全確保に限定されるものである。したがって、係る梯子使用作業における梯子の縦立支持も含めて本願において課題として取り上げようとしている分野、たとえば一時的に構築された簡易な建物等に対する応急的な簡易な縦立支持や、自然災害等による倒壊危険性の発生した塀や建物壁、老木等の応急的な簡易な縦立支持などをも含めた、幅広い産業活動および人間生活で必要とされる縦立構造体支持の機能を果たすことはできない。
【００１１】
本発明の課題は、上記従来技術の欠点を解決して、梯子、塀や建物壁、老木、その他の縦立する構造体の縦立を側面等から簡易に支持することのできる簡易な構造の縦立構造体支持装置を提供することである。
【００１２】
また、本発明の課題は、傾斜地や凸凹の土地であっても容易に安定した縦立支持が可能であり、汎用性、収納性、可搬性に優れた、縦立構造体支持装置を提供することである。
【００１３】
さらに本発明の課題は、梯子使用作業に用いる場合には、既に市販等されている梯子を活用してこれに後から簡単に装着して用いることができ、しかも装着位置や装着数を適宜設定することにより、梯子転倒防止効果および利用者安全確保効果を高めることのできる、縦立構造体支持装置を提供することである。
【００１４】
【課題を解決するための手段】
上記課題を解決するため本願発明者が鋭意検討した結果、縦立構造体を支持するための脚機能のみを装置として構成することにより、上記課題を解決できることを見出し、本発明に至った。すなわち、本願において特許請求される発明もしくは少なくとも開示される発明は、以下のとおりである。
【００１５】
（１）梯子、壁等の縦立構造体の縦立を、該縦立構造体の縦立が支持されている力の方向とは異なる方向から支持するための縦立構造体支持装置であって、該縦立構造体支持装置は縦立構造体固定部およびガイドレール部を備えた鞘体部と、一端部において開度調節部と螺着された自在開閉脚部と、脚部支持部とを有し、（Ａ）該縦立構造体固定部は、本装置全体を縦立構造体に固定するために該鞘体部の一部として少なくとも一個設けられ、
（Ｂ）該鞘体部上に設けられた該ガイドレール部には、該開度調節部が摺動自在に取り付けられ、
（Ｃ）該開度調節部は該ガイドレール部上の任意の位置において該ガイドレール部に固定されることによって前記自在開閉脚部の開度を固定するための調節固定部を有し、
（Ｄ）該自在開閉脚部には、これと前記鞘体部とを連結するための前記脚部支持部が取り付けられ、
（Ｅ）該脚部支持部は、該自在開閉脚部および該鞘体部のいずれとも回動自在に枢設されている、ことを特徴とする、縦立構造体支持装置。
【００１６】
（２）前記自在開閉脚部が、相互に摺動自在かつ固定自在であり、それにより該自在開閉脚部の長さを調節することのできる二個以上の肢状部からなることを特徴とする、（１）の縦立構造体支持装置。
【００１７】
（３）（１）または（２）の縦立構造支持装置を二基用い、該縦立構造支持装置の一方の前記調節固定部を摺動可能に弛めた状態で前記自在開閉脚部の開度を調節して適切な開度を決定した後で、これを固定するために該調節固定部を前記ガイドレール部に固定する過程Ａと、建物等の構造物に立て掛けられた梯子の二の支柱部の一方に該縦立構造支持装置の一方を縦立構造体固定部によって固定する過程Ｂとを備え、該過程ＡおよびＢはいずれかが先に、他方がその後に実施され、梯子の他方の支柱部にも同様に他方の該縦立構造支持装置を固定することによって、該梯子の縦立を安定化させその転倒を防止することのできる、梯子縦立支持方法。
【００１８】
すなわち本発明の装置は、開度調節の可能な開閉脚部を設けることにより支持脚機能を具備した装置であり、接地面の状況に応じて支持角度や上下方向の支持位置を調節、設定し、かつ縦立構造体固定部により梯子、壁等の被支持構造体に固定されて使用される。その応用範囲は、梯子使用作業における梯子の縦立支持を始めとして、一時的に構築された簡易な建物等に対する応急的な簡易な縦立支持や、自然災害等による倒壊危険性の発生した塀や建物壁、老木等の応急的な簡易な縦立支持など、幅広い産業活動および人間生活で必要とされる縦立構造体支持に及ぶ、極めて有用性の高いものである。
【００１９】
しかも、梯子、塀や建物壁、老木、その他の縦立する構造体の縦立を側面等から簡易に支持することができ、傾斜地や凸凹の土地であっても容易に安定した縦立支持が可能であり、汎用性、収納性、可搬性に優れ、梯子使用作業に用いる場合には、既に市販等されている梯子を活用してこれに後から簡単に装着して用いることができ、しかも装着位置や装着数を適宜設定することにより、梯子転倒防止効果および利用者安全確保効果を従来よりも高めることができる。
【００２０】
本発明において、縦立とは、厳密に鉛直方向に垂直に直立することのみならず、接地面に対する垂直方向に対して、あるいは重力方向に対して角度を有する状態で少なくとも一時的に立っている状態をいう。たとえば建物壁等に立て掛けた場合の梯子における設置状態や、倒壊しかけた壁や塀、老木など場合における立設状態も、本発明の縦立に該当する。
【００２１】
【発明の実施の形態】
【構成】
以下、本発明をより詳細に説明する。
図１は、本発明の縦立構造体支持装置の構成を示す側面図であり、該縦立構造体支持装置は開脚した状態である。図において本装置は、本装置を被支持構造体に固定するための縦立構造体固定部１１、および後記開度調節部３を摺動させるためのガイドレール部１２を備えた鞘体部１と、一端部において開度調節部３と螺着された、被支持構造体を支持角度可変かつ上下方向作用点位置可変に支持するための自在開閉脚部５と、該自在開閉脚部５の調節角度固定を支持するための脚部支持部７とを有し、
（Ａ）該縦立構造体固定部１１は、本装置全体を縦立構造体に固定するために該鞘体部１の一部として少なくとも一個設けられ、
（Ｂ）該鞘体部１上に設けられた該ガイドレール部１２には、該開度調節部３が摺動自在に取り付けられ、
（Ｃ）該開度調節部３は該ガイドレール部１２上の任意の位置において該ガイドレール部１２に固定されることによって前記自在開閉脚部５の開度を固定するための調節固定部３１を有し、
（Ｄ）該自在開閉脚部５には、これと前記鞘体部１とを連結するための前記脚部支持部７が取り付けられ、
（Ｅ）該脚部支持部７は、該自在開閉脚部５および該鞘体部１のいずれとも回動自在に枢設されている、ことを主たる構成とする。
【００２２】
前記縦立構造体固定部１１は、図のように鞘体部１の両端に計二個設けることができる。また、前記自在開閉脚部５の螺着端部ではない方の端部には、該自在開閉脚部５の接地を安定化させるための足部９を枢設することができる。
【００２３】
該縦立構造体固定部１１としては、本装置を被支持体である縦立構造体に固定することのできるあらゆる手段を用いることができ、たとえばボルトとナットによる締結、ボルトによる締着や、紐や紐状体を用いた緊縛など、適宜のものを用いることができる。梯子、老木、木製壁等への装着では、ボルトとナットによる締結やボルトによる締着が簡便である。
【００２４】
図２は、本発明の縦立構造体支持装置を開脚した場合のガイドレール部１２およびその周辺の斜視図である。図において、鞘体部１の一部として設けられた該ガイドレール部１２には開度調節部３が摺動自在に取り付けられ、該開度調節部３は、該ガイドレール部１２上の任意の位置において該ガイドレール部１２に固定されることによって該開度調節部３と螺着された自在開閉脚部５の開度を固定するための調節固定部３１を有し、該自在開閉脚部５には、これと該鞘体部１とを連結するための脚部支持部７が取り付けられ、該脚部支持部７は、該自在開閉脚部５および該鞘体部１のいずれとも回動自在に枢設されている。これにより該自在開閉脚部５は、その一端部において開度調節部３と螺着され、被支持構造体を、支持角度可変かつ上下方向作用点位置可変に支持することができるように設けられる。
【００２５】
図において前記開度調節部３と自在開閉脚部５との螺着は、たとえばヒンジにより行うことができる。また、前記調節固定部３１は、ボルトおよびナットにより構成することができる。
【００２６】
図３は、図１に示した本発明の縦立構造体支持装置における、III−III矢視方向断面図である。図において前記調節固定部３１は、前記ガイドレール部１２と摺動自在に設けられる前記開度調節部３を、該ガイドレール部１２（鞘体部１）に固定し、および固定解除することが自在なように設けられる。
【００２７】
図４は、前記自在開閉脚部５の別の構成を示す側面図である。図において該自在開閉脚部５は、相互に摺動自在かつ固定自在であり、それにより該自在開閉脚部５の長さを長短調節することのできる二個以上の肢状部５１、５２等から構成することができる。
【００２８】
【作用】
図１、２、３および４において、本発明の縦立構造体支持装置は係る構成をとることにより、鞘体部１においては、縦立構造体固定部１１によって本装置全体が被支持構造体に固定され、ガイドレール部１２によってこれに取り付けられた開度調節部３は摺動自在とされ、一端部において開度調節部３と螺着された自在開閉脚部５は、これと連結する後記脚部支持部７によって制限される範囲内において開閉が自在となり、それによって被支持構造体を支持角度可変かつ上下方向作用点位置可変に支持する作用がなされ、脚部支持部７によって該自在開閉脚部５の調節角度固定が支持される。
【００２９】
さらに、該開度調節部３に設けられた調節固定部３１は、該ガイドレール部１２上の任意の位置において該ガイドレール部１２に固定され、それによって前記自在開閉脚部５の開度すなわち支持角度、および支持位置が固定される。また、該脚部支持部７によって該自在開閉脚部５は該鞘体部１と連結されており、該自在開閉脚部５および該鞘体部１のいずれとも自在に回動可能であり、それにより該自在開閉脚部５の調節角度固定が支持される。
【００３０】
これら各構成要素のなす作用により、本発明の縦立構造体支持装置を用いれば、梯子、壁等の縦立構造体の縦立が、該縦立構造体の縦立が支持されている力の方向とは異なる方向から支持され、縦立構造体の縦立が安定化され、縦立構造体の転倒、倒壊、揺れなどが防止される。
【００３１】
【実施例】
以下、本発明を実施例によりさらに具体的に説明するが、本発明はこれらの実施例に限定されるものではない。
＜実施例１  梯子の側面支持＞
図５および６は、本発明の縦立構造体支持装置を用いて、梯子の側面支持をする方法を示す正面図である。
図５において、本縦立構造体支持装置はまず梯子２０の両脚に装着される。縦立構造体固定部１１により、梯子２０の両脚の外側側面に本装置が固定される。該縦立構造体固定部１１は装置一基につき二個設けることにより、装置の固定を確実にすることができる。調節固定部３１（ノブ）を弛めた状態にし、ガイドレール部１２上でノブ３１を摺動させて下方に下げてしめつけることにより、該ノブ３１は該ガイドレール部１２に固定され、同時に、ノブ３１の設けられている開度調節部３と螺着された自在開閉脚部５はその脚が下がりながら広がる。図において係る装着は梯子２０の両脚においてなされ、梯子２０はその側面から支持され、すなわち作業者の側面から梯子２０が支持され、その縦立が安定化され、梯子転倒防止効果および利用者安全確保効果を高められることが確認された。
【００３２】
図６において、設置された場所での使用目的の達せられた縦立構造体支持装置は、該ノブ３１を弛めた状態にして該ガイドレール部１２上で摺動させて上方に上げ、しめつけることにより、該ノブ３１は該ガイドレール部１２に固定され、同時に、ノブ３１の設けられている開度調節部３と螺着された自在開閉脚部５はその脚が上がりながら閉じ、自在開閉脚部５は収納される。図において係る操作は梯子２０の両脚においてなされ、本装置を装着した梯子は、容易なる可搬状態となる。あるいは、縦立構造体固定部１１における固定が解除されて、梯子２０から取り外される。
【００３３】
なお、本実施例１では梯子２０に装置を固定した後に自在開閉脚部５の開脚、固定を行ったが、この場合は安全確保効果等をより発揮できる装着位置を選択した上で、梯子の支持をすることができる。一方これを逆にし、自在開閉脚部５の開脚、固定を行った後で装置を梯子２０に固定することもでき、この場合は梯子支持の体勢（角度）をあらかじめ決めた上で、装置を装着することができる。
【００３４】
＜実施例２  梯子の正面支持＞
図７および８は、本発明の縦立構造体支持装置を用いて、梯子の正面支持をする方法を示す図であり、それぞれ正面図および側面図である。図において、本縦立構造体支持装置はまず梯子２０の両脚に装着される。縦立構造体固定部１１により、梯子２０の両脚の正面に本装置が固定される。その後の操作は、実施例１と同様である。ただし状況により、本装置は一基のみで用いることもできる。たとえば、梯子２０の踏み板に本装置一基を固定することにより、梯子２０を正面支持することもできる。
【００３５】
図８において、本装置を梯子２０両脚の正面に装着することにより梯子２０はその正面から支持され、すなわち作業者の背面から梯子２０が支持され、その縦立が安定化され、梯子転倒防止効果および利用者安全確保効果を高められることが確認された。
【００３６】
＜実施例３  傾斜地での梯子の側面支持＞
図９は、傾斜地において本発明の縦立構造体支持装置を用いて、梯子の正面支持をする方法を示す正面図である。図において、傾斜地側の自在開閉脚部５が傾斜地面に安定して設置するように開度調節部３の位置を決めてガイドレール部１２に固定する他は、本縦立構造体支持装置の使用方法は実施例１と同じである。本装置を用いれば自在開閉脚部５の開閉により足部９の鉛直方向位置を自在に調節できるため、傾斜地においても傾斜地面を利用して梯子を支持することができることが確認された。
【００３７】
＜実施例４  梯子の裏面支持＞
図１０は、本発明の縦立構造体支持装置を用いて、梯子の正面支持をする別の方法を示す側面図である。図において、本縦立構造体支持装置は縦立構造体固定部１１により、梯子２０の両脚の裏面に本装置が固定され他は、実施例２と同様である。ただし状況により、本装置は一基のみで用いることもできる。たとえば、梯子２０の踏み板に本装置一基を固定することにより、梯子２０を裏面支持することもできる。これにより、梯子が設置面で滑ることを防止し、また梯子の縦立安定化、梯子の強度が高まることが確認された。
【００３８】
また、上記各実施例に拘らず、本装置を二基以上用いて梯子正面および側面から梯子を支持することもでき、この場合安全確保効果等はさらに高度に発揮されることも確認済みである。
【００３９】
以上梯子支持の実施例により本発明を説明したが、他にも、壁面を支持したり、倒木・倒壊防止の応急処置として使用したり、一時的構造物の支持に使用するなど、様々な縦立構造体を支持する際に用いることができることも確認済みである。
【００４０】
【発明の効果】
本発明の縦立構造体支持装置は上述のように構成されているため、簡易な構造により、梯子、塀や建物壁、老木、その他の縦立する構造体の縦立を側面等から簡易に支持することができる。
【００４１】
また、本発明の装置によれば、傾斜地や凸凹の土地であっても容易に安定した縦立支持が可能であり、汎用性、収納性、可搬性の点においても優れた手段を提供できる。
【００４２】
さらに本発明の装置によれば、梯子使用作業に用いる場合には、既に市販等されている梯子を活用してこれに後から簡単に装着して用いることができ、しかも装着位置や装着数を適宜設定することにより、梯子転倒防止効果および利用者安全確保効果を高めることができる。
【図面の簡単な説明】
【図１】  本発明の縦立構造体支持装置の構成を示す側面図であり、該縦立構造体支持装置は開脚した状態である。
【図２】  本発明の縦立構造体支持装置を開脚した場合のガイドレール部の斜視図である。
【図３】  図１に示した本発明の縦立構造体支持装置における、III−III矢視方向断面図である。
【図４】  本発明の自在開閉脚部の別の構成を示す側面図である。
【図５】  実施例１で、本発明の縦立構造体支持装置を用いて、梯子の側面支持をする方法を示す正面図であり、自在開閉脚部を開脚した状態を示す図である。
【図６】  実施例１で、本発明の縦立構造体支持装置を用いて、梯子の側面支持をする方法を示す正面図であり、自在開閉脚部を閉脚した状態を示す図である。
【図７】  実施例２で、本発明の縦立構造体支持装置を用いて、梯子の正面支持をする方法を示す正面図である。
【図８】  実施例２で、本発明の縦立構造体支持装置を用いて、梯子の正面支持をする方法を示す側面図である。
【図９】  実施例３で、本発明の縦立構造体支持装置を用いて、傾斜地において梯子の側面支持をする方法を示す正面図である。
【図１０】  実施例４で、本発明の縦立構造体支持装置を用いて、梯子の裏面支持をする方法を示す側面図である。
【符号の説明】
１…鞘体部、  ３…開度調節部、  ５…自在開閉脚部、  ７…脚部支持部、  ９…足部、  １１…縦立構造体固定部、  １２…ガイドレール部、  ３１…調節固定部、  ５１、５２…肢状部
【図１】
0003917005.tif 000002
【図２】
0003917005.tif 000003
【図３】
0003917005.tif 000004
【図４】
0003917005.tif 000005
【図５】
0003917005.tif 000006
【図６】
0003917005.tif 000007
【図７】
0003917005.tif 000008
【図８】
0003917005.tif 000009
【図９】
0003917005.tif 000010
【図１０】
0003917005.tif 000011